(57)【要約】      （修正有）【課題】汎用的な防獣網用支柱を心棒として利用して防獣網を巻き取り又は巻き出しを容易に行うことができる防獣網巻装置を提供する。【解決手段】本考案の防獣網用支柱を用いた防獣網巻装置は、防獣網を引っ掛ける突起２１が一端に設けられた防獣網用支柱２０を用いて防獣網を巻き取り又は巻き出しする防獣網巻装置３０Ａであって、防獣網用支柱２０の一端に取り付けるハンドル部材４０と、防獣網用支柱２０を回転自在に保持する一対の軸受部材５０とを有することを特徴とする。【選択図】図１
0003217619.tif 000002
【実用新案登録請求の範囲】
【請求項１】
防獣網を引っ掛ける突起が一端に設けられた防獣網用支柱を用いて前記防獣網を巻き取り又は巻き出しする防獣網巻装置であって、
前記防獣網用支柱の前記一端に取り付けるハンドル部材と、
前記防獣網用支柱を回転自在に保持する一対の軸受部材と
を有する
ことを特徴とする防獣網用支柱を用いた防獣網巻装置。
【請求項２】
前記ハンドル部材が、筒状の軸部と、ハンドルとからなり、
前記軸部の一端には、前記ハンドルが取り付けられ、
前記軸部の他端には、前記突起と係合する係合部が形成され、
前記軸部の前記他端に、前記防獣網用支柱の前記一端を挿入し、前記係合部によって前記軸部の回転を前記防獣網用支柱に伝える
ことを特徴とする請求項１に記載の防獣網用支柱を用いた防獣網巻装置。
【請求項３】
前記軸受部材が、所定長さの柱材と、前記防獣網用支柱を受ける受け部とからなり、
前記柱材の一端に前記受け部を設けた
ことを特徴とする請求項１又は請求項２に記載の防獣網用支柱を用いた防獣網巻装置。
【請求項４】
それぞれの前記柱材の他端同士を連結する柱連結材を設けた
ことを特徴とする請求項３に記載の防獣網用支柱を用いた防獣網巻装置。
【請求項５】
前記柱材又は前記柱連結材に、車輌荷台に取り付ける保持部材を設けた
ことを特徴とする請求項４に記載の防獣網用支柱を用いた防獣網巻装置。
【請求項６】
前記保持部材が、
一対の前記柱材の前記他端から延出させた一対の荷台載置材と、
それぞれの前記荷台載置材の端部同士を連結する荷台載置連結材と、
一対の前記柱材の前記一端と前記荷台載置連結材とを繋ぐ補強材と
を有する
ことを特徴とする請求項５に記載の防獣網用支柱を用いた防獣網巻装置。
【請求項７】
前記保持部材を、前記車輌荷台のあおりを挟み込む一対のあおり挟持材とした
ことを特徴とする請求項５に記載の防獣網用支柱を用いた防獣網巻装置。
【請求項８】
前記防獣網用支柱の径よりも大きな開口が形成された一対の円盤材を有し、
一対の前記円盤材を前記防獣網用支柱に装着して、一対の前記円盤材の間で前記防獣網を巻き取る
ことを特徴とする請求項１から請求項７のいずれか１項に記載の防獣網用支柱を用いた防獣網巻装置。
【請求項９】
前記車輌荷台のあおりに被せるあおり保護シートを有し、
前記軸受部材によって前記防獣網用支柱を前記あおりの上方に配置し、
前記防獣網用支柱に巻き取られる前記防獣網を前記あおり保護シートによって前記あおりに接触させない
ことを特徴とする請求項５に記載の防獣網用支柱を用いた防獣網巻装置。
【請求項１０】
前記防獣網用支柱を一対の前記軸受部材で保持した状態で前記ハンドル部材を回転させて前記防獣網を前記防獣網用支柱に巻き取り、
前記防獣網が巻き付けられた前記防獣網用支柱を、前記軸受部材から取り外し、前記防獣網用支柱から前記ハンドル部材を取り外した状態で運搬又は保管する
ことを特徴とする請求項１から請求項４のいずれか１項に記載の防獣網用支柱を用いた防獣網巻装置。
【請求項１１】
前記防獣網が巻き付けられた前記防獣網用支柱を、前記柱連結材を設けた一対の前記軸受部材に保持することで、前記防獣網を前記防獣網用支柱から巻き出す
ことを特徴とする請求項１０に記載の防獣網用支柱を用いた防獣網巻装置。
【考案の詳細な説明】
【技術分野】
【０００１】
本考案は、鳥獣の浸入を防ぐ防獣網を圃場にて支持する防獣網用支柱を用いた防獣網巻装置に関する。
【背景技術】
【０００２】
近年、深刻な鳥獣被害が全国的に話題になっている。一般圃場では、電気柵を張って獣の被害を防止しているが、隔離圃場においては、防獣網と電気柵の両方を用いて獣害を防いでいる。
図５は、防獣網を設置した圃場及び防獣網用支柱を示す写真である。
図５（ａ）に示すように、圃場の周囲には防獣網１０を張っている。防獣網１０は、４ｍ〜５ｍ間隔で設けた防獣網用支柱２０によって支持されている。
図５（ｂ）に示すように、汎用的な防獣網用支柱２０の一端には、防獣網用支柱２０の径方向に突出させた突起２１が設けられている。
図５（ｃ）に示すように、突起２１に防獣網１０を引っ掛けて用いる。
ところで、特許文献１は、ビニールハウスのビニールフィルムを対象とし、ビニールフィルムのロール両端をコの字型の枠に回転自由に設置し、更に枠には車輪が取り付けられていることから、ロールを立てた状態で効率的・省力的にフィルム張りができるビニールフィルム張設装置を提案している。
また、特許文献２は、乗用車のトランクルームにシート巻取り棒を設置し、その巻取り棒からシートを伸ばし、車椅子その他の荷物を自動車に収納するときに、収納物の下に敷くことにより車体が汚れたり、傷ついたりしないようにする収納装置を提案している。
【先行技術文献】
【特許文献】
【０００３】
【特許文献１】実公昭５９−３０６７８号公報
【特許文献２】特開２０１２−１３１２９１号公報
【考案の概要】
【考案が解決しようとする課題】
【０００４】
しかし、防獣網は、図５（ａ）に示すような張り作業や、回収のための巻き取り作業にかなりの時間を要している。特に、新品の防獣網から紙筒を取ってしまうと芯がなくなり、回収・洗浄後の巻き取り作業にはとても苦労している。
【０００５】
そこで本考案は、汎用的な防獣網用支柱を心棒として利用して防獣網を巻き取り又は巻き出しを容易に行うことができる防獣網用支柱を用いた防獣網巻装置を提供することを目的とする。
【課題を解決するための手段】
【０００６】
請求項１記載の本考案の防獣網用支柱を用いた防獣網巻装置は、防獣網１０を引っ掛ける突起２１が一端に設けられた防獣網用支柱２０を用いて前記防獣網１０を巻き取り又は巻き出しする防獣網巻装置３０Ａであって、前記防獣網用支柱２０の前記一端に取り付けるハンドル部材４０と、前記防獣網用支柱２０を回転自在に保持する一対の軸受部材５０とを有することを特徴とする。
請求項２記載の本考案は、請求項１に記載の防獣網用支柱を用いた防獣網巻装置において、前記ハンドル部材４０が、筒状の軸部４１と、ハンドル４２とからなり、前記軸部４１の一端には、前記ハンドル４２が取り付けられ、前記軸部４１の他端には、前記突起２１と係合する係合部４１ａが形成され、前記軸部４１の前記他端に、前記防獣網用支柱２０の前記一端を挿入し、前記係合部４１ａによって前記軸部４１の回転を前記防獣網用支柱２０に伝えることを特徴とする。
請求項３記載の本考案は、請求項１又は請求項２に記載の防獣網用支柱を用いた防獣網巻装置において、前記軸受部材５０が、所定長さの柱材５１と、前記防獣網用支柱２０を受ける受け部５２とからなり、前記柱材５１の一端に前記受け部５２を設けたことを特徴とする。
請求項４記載の本考案は、請求項３に記載の防獣網用支柱を用いた防獣網巻装置において、それぞれの前記柱材５１の他端同士を連結する柱連結材５３を設けたことを特徴とする。
請求項５記載の本考案は、請求項４に記載の防獣網用支柱を用いた防獣網巻装置において、前記柱材５１又は前記柱連結材５３に、車輌荷台８１に取り付ける保持部材５４を設けたことを特徴とする。
請求項６記載の本考案は、請求項５に記載の防獣網用支柱を用いた防獣網巻装置において、前記保持部材５４が、一対の前記柱材５１の前記他端から延出させた一対の荷台載置材５４ａと、それぞれの前記荷台載置材５４ａの端部同士を連結する荷台載置連結材５４ｂと、一対の前記柱材５１の前記一端と前記荷台載置連結材５４ｂとを繋ぐ補強材５４ｃとを有することを特徴とする。
請求項７記載の本考案は、請求項５に記載の防獣網用支柱を用いた防獣網巻装置において、前記保持部材５４Ｘを、前記車輌荷台８１のあおり８２を挟み込む一対のあおり挟持材５４Ｘとしたことを特徴とする。
請求項８記載の本考案は、請求項１から請求項７のいずれか１項に記載の防獣網用支柱を用いた防獣網巻装置において、前記防獣網用支柱２０の径よりも大きな開口が形成された一対の円盤材６０を有し、一対の前記円盤材６０を前記防獣網用支柱２０に装着して、一対の前記円盤材６０の間で前記防獣網１０を巻き取ることを特徴とする。
請求項９記載の本考案は、請求項５に記載の防獣網用支柱を用いた防獣網巻装置において、前記車輌荷台８１のあおり８２に被せるあおり保護シート７０を有し、前記軸受部材５０によって前記防獣網用支柱２０を前記あおり８２の上方に配置し、前記防獣網用支柱２０に巻き取られる前記防獣網１０を前記あおり保護シート７０によって前記あおり８２に接触させないことを特徴とする。
請求項１０記載の本考案は、請求項１から請求項４のいずれか１項に記載の防獣網用支柱を用いた防獣網巻装置において、前記防獣網用支柱２０を一対の前記軸受部材５０で保持した状態で前記ハンドル部材４０を回転させて前記防獣網１０を前記防獣網用支柱２０に巻き取り、前記防獣網１０が巻き付けられた前記防獣網用支柱２０を、前記軸受部材５０から取り外し、前記防獣網用支柱２０から前記ハンドル部材４０を取り外した状態で運搬又は保管することを特徴とする。
請求項１１記載の本考案は、請求項１０に記載の防獣網用支柱を用いた防獣網巻装置において、前記防獣網１０が巻き付けられた前記防獣網用支柱２０を、前記柱連結材５３を設けた一対の前記軸受部材５０に保持することで、前記防獣網１０を前記防獣網用支柱２０から巻き出すことを特徴とする。
【考案の効果】
【０００７】
本考案によれば、汎用的な防獣網用支柱を心棒として利用して防獣網を巻き取り又は巻き出しを容易に行うことができる。
【図面の簡単な説明】
【０００８】
【図１】本考案の第１実施例による防獣網用支柱を用いた防獣網巻装置を示す写真
【図２】本考案の第１実施例による防獣網用支柱を用いた防獣網巻装置を車輌荷台に取り付けた状態を示す写真
【図３】本考案の第２実施例による防獣網用支柱を用いた防獣網巻装置を示す写真
【図４】本考案の第２実施例による防獣網巻装置を防獣網の巻き出しに用いる状態を示す写真
【図５】防獣網を設置した圃場及び防獣網用支柱を示す写真
【考案を実施するための形態】
【０００９】
本考案の第１の実施の形態による防獣網用支柱を用いた防獣網巻装置は、防獣網用支柱の一端に取り付けるハンドル部材と、防獣網用支柱を回転自在に保持する一対の軸受部材とを有するものである。
本実施の形態によれば、汎用的な防獣網用支柱を心棒として利用して防獣網を巻き取ることができる。
【００１０】
本考案の第２の実施の形態は、第１の実施の形態による防獣網用支柱を用いた防獣網巻装置において、ハンドル部材が、筒状の軸部と、ハンドルとからなり、軸部の一端には、ハンドルが取り付けられ、軸部の他端には、突起と係合する係合部が形成され、軸部の他端に、防獣網用支柱の一端を挿入し、係合部によって軸部の回転を防獣網用支柱に伝えるものである。
本実施の形態によれば、防獣網を引っ掛けるために防獣網用支柱に設けられている突起を利用して防獣網用支柱を回転させることができるとともに、軸部を介してハンドルを取り付けているため、この軸部を手で握ることができ、軸部を支えることで防獣網の巻き取り作業をスムーズに行わせることができる。
【００１１】
本考案の第３の実施の形態は、第１又は第２の実施の形態による防獣網用支柱を用いた防獣網巻装置において、軸受部材が、所定長さの柱材と、防獣網用支柱を受ける受け部とからなり、柱材の一端に受け部を設けたものである。
本実施の形態によれば、柱材によって防獣網用支柱を所定高さで回転させることができるため、巻き取り作業を継続して行うことができる。
【００１２】
本考案の第４の実施の形態は、第３の実施の形態による防獣網用支柱を用いた防獣網巻装置において、それぞれの柱材の他端同士を連結する柱連結材を設けたものである。
本実施の形態によれば、柱材の他端同士を柱連結材で連結することで受け部の間隔を一定に保持できるため、防獣網用支柱を安定して回転させることができ、巻き取りや巻き出し作業を容易に行える。
【００１３】
本考案の第５の実施の形態は、第４の実施の形態による防獣網用支柱を用いた防獣網巻装置において、柱材又は柱連結材に、車輌荷台に取り付ける保持部材を設けたものである。
本実施の形態によれば、保持部材によって車輌荷台に柱材又は柱連結材を取り付けることで、防獣網用支柱を所定高さとして防獣網を巻き取ることができ、更に巻き取った後の防獣網を車輌荷台に積載しやすい。
【００１４】
本考案の第６の実施の形態は、第５の実施の形態による防獣網用支柱を用いた防獣網巻装置において、保持部材が、一対の柱材の他端から延出させた一対の荷台載置材と、それぞれの荷台載置材の端部同士を連結する荷台載置連結材と、一対の柱材の一端と荷台載置連結材とを繋ぐ補強材とを有するものである。
本実施の形態によれば、一対の荷台載置材及び荷台載置連結材によって車輌荷台に柱材又は柱連結材を取り付けることができ、防獣網の巻き取り作業を容易に行え、巻き取った後の防獣網を車輌荷台に積載しやすい。
【００１５】
本考案の第７の実施の形態は、第５の実施の形態による防獣網用支柱を用いた防獣網巻装置において、保持部材を、車輌荷台のあおりを挟み込む一対のあおり挟持材としたものである。
本実施の形態によれば、一対のあおり挟持材によって車輌荷台に柱材又は柱連結材を取り付けることができ、防獣網の巻き取り作業を容易に行え、巻き取った後の防獣網を車輌荷台に積載しやすい。
【００１６】
本考案の第８の実施の形態は、第１から第７のいずれかの実施の形態による防獣網用支柱を用いた防獣網巻装置において、防獣網用支柱の径よりも大きな開口が形成された一対の円盤材を有し、一対の円盤材を防獣網用支柱に装着して、一対の円盤材の間で防獣網を巻き取るものである。
本実施の形態によれば、防獣網がずれることなく防獣網用支柱に巻き取ることができる。
【００１７】
本考案の第９の実施の形態は、第５の実施の形態による防獣網用支柱を用いた防獣網巻装置において、車輌荷台のあおりに被せるあおり保護シートを有し、軸受部材によって防獣網用支柱をあおりの上方に配置し、防獣網用支柱に巻き取られる防獣網をあおり保護シートによってあおりに接触させないものである。
本実施の形態によれば、防獣網の巻き取りによってあおりの塗装が剥がれることを防止でき、更に防獣網があおりに引っかかることを防止して安定した巻き取りを行える。
【００１８】
本考案の第１０の実施の形態は、第１から第４のいずれかの実施の形態による防獣網用支柱を用いた防獣網巻装置において、防獣網用支柱を一対の軸受部材で保持した状態でハンドル部材を回転させて防獣網を防獣網用支柱に巻き取り、防獣網が巻き付けられた防獣網用支柱を、軸受部材から取り外し、防獣網用支柱からハンドル部材を取り外した状態で運搬又は保管するものである。
本実施の形態によれば、汎用的な防獣網用支柱を心棒として利用して防獣網を巻き取ることができ、巻き取った防獣網を防獣網用支柱とともに運搬又は保管できる。
【００１９】
本考案の第１１の実施の形態は、第１０の実施の形態による防獣網用支柱を用いた防獣網巻装置において、防獣網が巻き付けられた防獣網用支柱を、柱連結材を設けた一対の軸受部材に保持することで、防獣網を防獣網用支柱から巻き出すものである。
本実施の形態によれば、圃場での防獣網の設置作業を容易に行える。
【実施例】
【００２０】
以下、本考案の第１実施例による防獣網用支柱を用いた防獣網巻装置について説明する。
図１は、本考案の第１実施例による防獣網用支柱を用いた防獣網巻装置を示す写真である。
図１（ａ）は防獣網用支柱を保持させた状態を示す同防獣網巻装置の写真、図１（ｂ）は同防獣網巻装置のハンドル部材の写真、図１（ｃ）は同防獣網巻装置の軸受部材の写真、図１（ｄ）は図１（ａ）の状態にある同防獣網巻装置の要部写真である。
【００２１】
本考案の第１実施例による防獣網用支柱を用いた防獣網巻装置３０Ａは、防獣網用支柱２０の一端に取り付けるハンドル部材４０と、防獣網用支柱２０を回転自在に保持する一対の軸受部材５０とを有する。
ハンドル部材４０は、筒状の軸部４１と、ハンドル４２とからなり、軸部４１の一端には、ハンドル４２が取り付けられる。軸部４１の他端には、突起２１と係合する係合部４１ａが形成されている。軸部４１の他端に、防獣網用支柱２０の一端を挿入し、係合部４１ａによって軸部４１の回転を防獣網用支柱２０に伝えることができる。
軸受部材５０は、所定長さの柱材５１と、防獣網用支柱２０を受ける受け部５２とからなり、柱材５１の一端に受け部５２を設けている。
それぞれの柱材５１の他端同士は、柱連結材５３で連結されている。柱材５１又は柱連結材５３には、車輌荷台８１（図２参照）に取り付ける保持部材５４を設けている。
保持部材５４は、一対の柱材５１の他端又は柱連結材５３の端部から延出させた一対の荷台載置材５４ａと、それぞれの荷台載置材５４ａの端部同士を連結する荷台載置連結材５４ｂと、一対の柱材５１の一端と荷台載置連結材５４ｂとを繋ぐ補強材５４ｃとを有している。
防獣網巻装置３０Ａは、防獣網用支柱２０の径よりも大きな開口が形成された一対の円盤材６０とあおり保護シート７０を有している。一対の円盤材６０は防獣網用支柱２０に装着して用いられる。あおり保護シート７０の一端は、一対の柱材５１の間に設けたシート取付材５５に取り付けている。
【００２２】
図２は、本考案の第１実施例による防獣網用支柱を用いた防獣網巻装置を車輌荷台に取り付けた状態を示す写真である。
図２（ａ）は車輌荷台に取り付けた状態を示す同防獣網巻装置の写真、図２（ｂ）及び図２（ｃ）は防獣網の巻き取り作業状態を示す同防獣網巻装置の写真、図２（ｄ）は巻き取り作業後の防獣網を車輌荷台に積載した状態の写真である。
【００２３】
防獣網巻装置３０Ａは、一対の荷台載置材５４ａ及び荷台載置連結材５４ｂによって車輌荷台８１に柱材５１又は柱連結材５３を取り付ける。防獣網用支柱２０は、軸受部材５０によってあおり８２の上方に配置される。
あおり保護シート７０は、車輌荷台８１のあおり８２に被せて用いられる。
防獣網１０は一対の円盤材６０の間で巻き取られる。
図２（ｂ）及び図２（ｃ）に示すように、防獣網用支柱２０を一対の軸受部材５０で保持した状態でハンドル部材４０を回転させて防獣網１０を防獣網用支柱２０に巻き取る。
そして、図２（ｄ）に示すように、防獣網１０が巻き付けられた防獣網用支柱２０は、軸受部材５０から取り外され、防獣網用支柱２０からハンドル部材４０を取り外した状態で車輌荷台８１に載置され、運搬又は保管される。
このように、防獣網巻装置３０Ａを用いることで、汎用的な防獣網用支柱２０を心棒として利用して防獣網１０を巻き取ることができ、巻き取った防獣網１０を防獣網用支柱２０とともに運搬又は保管できる。
【００２４】
本考案の第１実施例によれば、防獣網１０を引っ掛けるために防獣網用支柱２０に設けられている突起２１を利用して防獣網用支柱２０を回転させることができるとともに、軸部４１を介してハンドル４２を取り付けているため、この軸部４１を手で握ることができ、軸部４１を支えることで防獣網１０の巻き取り作業をスムーズに行わせることができる。
また本考案の第１実施例によれば、柱材５１によって防獣網用支柱２０を所定高さで回転させることができるため、巻き取り作業を継続して行うことができる。
また本考案の第１実施例によれば、柱材５１の他端同士を柱連結材５３で連結することで受け部５２の間隔を一定に保持できるため、防獣網用支柱２０を安定して回転させることができ、巻き取り作業を容易に行える。
また本考案の第１実施例によれば、保持部材５４によって車輌荷台８１に柱材５１又は柱連結材５３を取り付けることで、防獣網用支柱２０を所定高さとして防獣網１０を巻き取ることができ、更に巻き取った後の防獣網１０を車輌荷台８１に積載しやすい。
また本考案の第１実施例によれば、一対の荷台載置材５４ａ及び荷台載置連結材５４ｂによって車輌荷台８１に柱材５１又は柱連結材５３を取り付けることができ、防獣網１０の巻き取り作業を容易に行え、巻き取った後の防獣網１０を車輌荷台８１に積載しやすい。
また本考案の第１実施例によれば、一対の円盤材６０を防獣網用支柱２０に装着して、一対の円盤材６０の間で防獣網１０を巻き取ることで、防獣網１０がずれることなく防獣網用支柱２０に巻き取ることができる。
また本考案の第１実施例によれば、防獣網用支柱２０に巻き取られる防獣網１０をあおり保護シート７０によってあおり８２に接触させないため、防獣網１０の巻き取りによってあおり８２の塗装が剥がれることを防止でき、更に防獣網１０があおり８２に引っかかることを防止して安定した巻き取りを行える。
【００２５】
以下、本考案の第２実施例による防獣網用支柱を用いた防獣網巻装置について説明する。
図３は、本考案の第２実施例による防獣網用支柱を用いた防獣網巻装置を示す写真である。
図３（ａ）は防獣網用支柱を保持させた状態を示す同防獣網巻装置の写真、図３（ｂ）及び図３（ｃ）は同防獣網巻装置のハンドル部材の写真、図３（ｄ）、図３（ｅ）、及び図３（ｆ）は車輌荷台に取り付けた状態を示す同防獣網巻装置の写真である。
【００２６】
本考案の第２実施例による防獣網用支柱を用いた防獣網巻装置３０Ｂは、防獣網用支柱２０の一端に取り付けるハンドル部材４０と、防獣網用支柱２０を回転自在に保持する一対の軸受部材５０とを有する。
ハンドル部材４０は、筒状の軸部４１と、ハンドル４２とからなり、軸部４１の一端には、ハンドル４２が取り付けられる。軸部４１の他端には、突起２１と係合する係合部４１ａが形成されている。軸部４１の他端に、防獣網用支柱２０の一端を挿入し、係合部４１ａによって軸部４１の回転を防獣網用支柱２０に伝えることができる。
軸受部材５０は、所定長さの柱材５１と、防獣網用支柱２０を受ける受け部５２とからなり、柱材５１の一端に受け部５２を設けている。
それぞれの柱材５１の他端同士は、柱連結材５３で連結されている。柱材５１又は柱連結材５３には、車輌荷台８１に取り付ける保持部材５４Ｘを設けている。
保持部材５４Ｘは、車輌荷台８１のあおり８２を挟み込む一対のあおり挟持材５４Ｘとしている。
防獣網巻装置３０Ｂは、一対のあおり挟持材５４Ｘによって車輌荷台８１に柱材５１又は柱連結材５３を取り付けることができ、防獣網１０の巻き取り作業を容易に行え、巻き取った後の防獣網１０を車輌荷台８１に積載しやすい。
なお、防獣網巻装置３０Ｂにおいても、防獣網巻装置３０Ａと同様に、一対の円盤材６０やあおり保護シート７０を用いることが好ましい。
防獣網巻装置３０Ｂにおいても、防獣網巻装置３０Ａと同様に、防獣網用支柱２０を一対の軸受部材５０で保持した状態でハンドル部材４０を回転させて防獣網１０を防獣網用支柱２０に巻き取る。
そして、防獣網１０が巻き付けられた防獣網用支柱２０は、軸受部材５０から取り外され、防獣網用支柱２０からハンドル部材４０を取り外した状態で車輌荷台８１に載置され、運搬又は保管される。
このように、防獣網巻装置３０Ｂを用いることで、汎用的な防獣網用支柱２０を心棒として利用して防獣網１０を巻き取ることができ、巻き取った防獣網１０を防獣網用支柱２０とともに運搬又は保管できる。
【００２７】
本考案の第２実施例によれば、防獣網１０を引っ掛けるために防獣網用支柱２０に設けられている突起２１を利用して防獣網用支柱２０を回転させることができるとともに、軸部４１を介してハンドル４２を取り付けているため、この軸部４１を手で握ることができ、軸部４１を支えることで防獣網１０の巻き取り作業をスムーズに行わせることができる。
また本考案の第２実施例によれば、柱材５１によって防獣網用支柱２０を所定高さで回転させることができるため、巻き取り作業を継続して行うことができる。
また本考案の第２実施例によれば、柱材５１の他端同士を柱連結材５３で連結することで受け部５２の間隔を一定に保持できるため、防獣網用支柱２０を安定して回転させることができ、巻き取り作業を容易に行える。
また本考案の第２実施例によれば、保持部材５４Ｘによってあおり８２に柱材５１又は柱連結材５３を取り付けることで、防獣網用支柱２０を所定高さとして防獣網１０を巻き取ることができ、更に巻き取った後の防獣網１０を車輌荷台８１に積載しやすい。
【００２８】
図４は、本考案の第２実施例による防獣網巻装置を防獣網の巻き出しに用いる状態を示す写真である。
図４（ａ）は防獣網の巻き出しに用いる防獣網巻装置を示す写真、図４（ｂ）は防獣網が巻き付けられた防獣網用支柱を防獣網巻装置に装着した状態を示す写真、図４（ｃ）は防獣網の巻き出しの使用状態を示す写真である。
【００２９】
図４（ａ）に示すように、防獣網１０の巻き出しには、柱連結材５３を設けた一対の軸受部材５０を用いる。
図４（ｂ）に示すように、防獣網１０が巻き付けられた防獣網用支柱２０を、一対の軸受部材５０の受け部５２に保持する。
そして、図４（ｃ）に示すように、防獣網用支柱２０が鉛直となるように柱連結材５３を立て、防獣網１０を防獣網用支柱２０から巻き出す。
このように、軸受部材５０が、所定長さの柱材５１と、防獣網用支柱２０を受ける受け部５２とからなり、柱材５１の一端に受け部５２を設け、柱材５１の他端同士を柱連結材５３で連結することで、受け部５２の間隔を一定に保持でき、防獣網用支柱２０を安定して回転させることができ、防獣網１０を防獣網用支柱２０から容易に巻き出すことができ、圃場での防獣網１０の設置作業を容易に行える。
【産業上の利用可能性】
【００３０】
本考案によれば、汎用的な防獣網用支柱を心棒として利用して防獣網を巻き取り、また防獣網を防獣網用支柱から容易に巻き出すことができる。
【符号の説明】
【００３１】
１０  防獣網
２０  防獣網用支柱
２１  突起
３０Ａ、３０Ｂ  防獣網巻装置
４０  ハンドル部材
４１  軸部
４１ａ  係合部
４２  ハンドル
５０  軸受部材
５１  柱材
５２  受け部
５３  柱連結材
５４  保持部材
５４ａ  荷台載置材
５４ｂ  荷台載置連結材
５４ｃ  補強材
５４Ｘ  保持部材（あおり挟持材）
５５  シート取付材
６０  円盤材
７０  あおり保護シート
８１  車輌荷台
８２  あおり
【図１】
0003217619.tif 000003
【図２】
0003217619.tif 000004
【図３】
0003217619.tif 000005
【図４】
0003217619.tif 000006
【図５】
0003217619.tif 000007
【手続補正書】
【提出日】平成30年6月22日(2018.6.22)
【手続補正１】
【補正対象書類名】実用新案登録請求の範囲
【補正対象項目名】全文
【補正方法】変更
【補正の内容】
【実用新案登録請求の範囲】
【請求項１】
防獣網を引っ掛ける突起が一端に設けられた防獣網用支柱を用いて前記防獣網を巻き取り又は巻き出しする防獣網巻装置であって、
前記防獣網用支柱の前記一端に取り付けるハンドル部材と、
前記防獣網用支柱を回転自在に保持する一対の軸受部材と
を有する
ことを特徴とする防獣網用支柱を用いた防獣網巻装置。
【請求項２】
前記ハンドル部材が、筒状の軸部と、ハンドルとからなり、
前記軸部の一端には、前記ハンドルが取り付けられ、
前記軸部の他端には、前記突起と係合する係合部が形成され、
前記軸部の前記他端に、前記防獣網用支柱の前記一端を挿入し、前記係合部によって前記軸部の回転を前記防獣網用支柱に伝える
ことを特徴とする請求項１に記載の防獣網用支柱を用いた防獣網巻装置。
【請求項３】
前記軸受部材が、所定長さの柱材と、前記防獣網用支柱を受ける受け部とからなり、
前記柱材の一端に前記受け部を設けた
ことを特徴とする請求項１又は請求項２に記載の防獣網用支柱を用いた防獣網巻装置。
【請求項４】
それぞれの前記柱材の他端同士を連結する柱連結材を設けた
ことを特徴とする請求項３に記載の防獣網用支柱を用いた防獣網巻装置。
【請求項５】
前記柱材又は前記柱連結材に、車輌荷台に取り付ける保持部材を設けた
ことを特徴とする請求項４に記載の防獣網用支柱を用いた防獣網巻装置。
【請求項６】
前記保持部材が、
一対の前記柱材の前記他端から延出させた一対の荷台載置材と、
それぞれの前記荷台載置材の端部同士を連結する荷台載置連結材と、
一対の前記柱材の前記一端と前記荷台載置連結材とを繋ぐ補強材と
を有する
ことを特徴とする請求項５に記載の防獣網用支柱を用いた防獣網巻装置。
【請求項７】
前記保持部材を、前記車輌荷台のあおりを挟み込む一対のあおり挟持材とした
ことを特徴とする請求項５に記載の防獣網用支柱を用いた防獣網巻装置。
【請求項８】
前記防獣網用支柱の径よりも大きな開口が形成された一対の円盤材を有し、
一対の前記円盤材を前記防獣網用支柱に装着して、一対の前記円盤材の間で前記防獣網を巻き取る
ことを特徴とする請求項１から請求項７のいずれか１項に記載の防獣網用支柱を用いた防獣網巻装置。
【請求項９】
前記車輌荷台のあおりに被せるあおり保護シートを有し、
前記軸受部材によって前記防獣網用支柱を前記あおりの上方に配置し、
前記防獣網用支柱に巻き取られる前記防獣網を前記あおり保護シートによって前記あおりに接触させない
ことを特徴とする請求項５に記載の防獣網用支柱を用いた防獣網巻装置。
【請求項１０】
前記防獣網用支柱を一対の前記軸受部材で保持した状態で前記ハンドル部材を回転させて前記防獣網を前記防獣網用支柱に巻き取り、
前記防獣網が巻き付けられた前記防獣網用支柱を、前記軸受部材から取り外し、前記防獣網用支柱から前記ハンドル部材を取り外した状態で運搬又は保管する
ことを特徴とする請求項１から請求項４のいずれか１項に記載の防獣網用支柱を用いた防獣網巻装置。
【請求項１１】
前記防獣網が巻き付けられた前記防獣網用支柱を、前記柱連結材を設けた一対の前記軸受部材に保持することで、前記防獣網を前記防獣網用支柱から巻き出す
ことを特徴とする請求項４に記載の防獣網用支柱を用いた防獣網巻装置。